【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
少なくとも１つの遠隔メータ（ＲＭ）が関連付けられている複数の顧客（Ｈ１，Ｈ２，・・・，Ｈｎ）へと、公衆分配ネットワーク（ＨＶ，ＭＶ，ＬＶ）を介して分配されるユーティリティの消費量を遠隔計量する方法であって、
複数の前記遠隔メータ（ＲＭ）のそれぞれは、前記ユーティリティの消費量を測定し、及び、前記複数の遠隔メータ（ＲＭ）に関連付けられているコンセントレータ（Ｃ）へと消費量に関連するデータを報告するために消費量に関連するデータを格納し、
前記コンセントレータ（Ｃ）は、消費量に関連するデータを収集し、かつ当該コンセントレータ（Ｃ）に関連付けられた遠隔メータの管理に関する仕事を行うために、前記複数の遠隔メータ（ＲＭ）と通信し、
前記遠隔メータ（ＲＭ）のそれぞれは、
プログラムメモリ（ＰＭ）と、
前記プログラムメモリ（ＰＭ）に格納されたプログラムを実行するコントローラ（ＭＣＭ）と、
前記ユーティリティの前記消費量に関連し、前記ユーティリティの前記消費量を少なくとも示すデータ要素を格納するデータ要素メモリ（ＣＢ）と、を備え、
前記方法は、遠隔メータが、当該遠隔メータのステータスデータ（ＴＶ，ＩＤ，ＮＶ）に基づいて決定される、消費量に関連するデータの量（Ｌ）を示す前記コンセントレータからの要求に応じて、消費量に関連する前記量（Ｌ）のデータ（ＭＶ１，ＭＶ２，・・・ＭＶ（Ｌ））を前記コンセントレータへと送信する工程を含む
ことを特徴とする方法。
【請求項２】
前記コンセントレータ（Ｃ）は、前記遠隔メータ（ＲＭ）のうちの選択された１つからのステータスデータ（ＴＶ，ＩＤ，ＮＶ）を要求する動作を行い、
前記選択された遠隔メータ（ＲＭ）は、前記ステータスデータ（ＴＶ，ＩＤ，ＮＶ）を前記コンセントレータ（Ｃ）へと送信する動作を行い、
前記コンセントレータ（Ｃ）は、前記ステータスデータ（ＴＶ，ＩＤ，ＮＶ）に基づいて、要求されかつ前記選択された遠隔メータ（ＲＭ）から受信される、消費量に関連するデータの量（Ｌ）を決定し、前記選択された遠隔メータ（ＲＭ）からの消費量に関連する前記量（Ｌ）のデータを要求するさらなる動作を行い、
前記遠隔メータ（ＲＭ）は、消費量に関連する前記要求された量（Ｌ）のデータを前記コンセントレータ（Ｃ）へと送信するさらなる動作を行う
ことを特徴とする、請求項１に記載の方法。
【請求項３】
前記コンセントレータ（Ｃ）は、集中管理装置（ＡＭＭ）から前記コンセントレータ（Ｃ）に以前に格納されたパラメータ（特に時間間隔）にも基づいて、消費量に関連するデータの前記量（Ｌ）を決定することを特徴とする、請求項１又は２に記載の方法。
【請求項４】
前記ステータスデータは、最後に測定された消費量に関連するデータの日付及び時刻を示す時刻値（ＴＶ）と、最後に測定された消費量に関連するデータが前記遠隔メータ（ＲＭ）において格納されている格納位置（Ｎｘ）を示すインジケータ（ＩＤ）と、前記遠隔メータ（ＲＭ）において格納されている消費量に関連するデータの数を示す数値（ＮＭ）と、のうちの１つ以上を含むことを特徴とする、請求項１乃至３の何れか１項に記載の方法。
【請求項５】
前記コンセントレータ（Ｃ）は、開始時刻と終了時刻とを前記遠隔メータ（ＲＭ）に送信し、前記開始時刻から前記終了時刻までの消費量に関連するデータの送信を要求することを特徴とする、請求項１乃至４の何れか１項に記載の方法。
【請求項６】
前記コンセントレータ（Ｃ）は、前記遠隔メータ（ＲＭ）へと格納位置の数（Ｌ）を送信し、前記遠隔メータ（ＲＭ）においてＬ個の格納位置のそれぞれに格納されている消費量に関連するデータの送信を要求することを特徴とする、請求項１乃至４の何れか１項に記載の方法。
【請求項７】
前記コンセントレータ（Ｃ）は、前記遠隔メータ（ＲＭ）へと格納位置を示す値を送信し、当該値によって示される前記格納位置に格納されている消費量に関連するデータの送信を要求することを特徴とする、請求項１乃至４の何れか１項に記載の方法。
【請求項８】
前記コンセントレータ（Ｃ）は、前記ステータスデータに基づいて、前記遠隔メータ（ＲＭ）に消費量に関連する十分なデータが格納されているか否かを判定することを特徴とする、請求項１乃至７の何れか１項に記載の方法。
【請求項９】
前記コンセントレータ（Ｃ）は、遠隔メータ（ＲＭ）が、当該遠隔メータのステータスデータ（ＴＶ，ＩＤ，ＮＶ）に基づいて決定される、消費量に関連するデータの量（Ｌ）を示す前記コンセントレータからの要求に応じて、消費量に関連する前記量（Ｌ）のデータ（ＭＶ１，ＭＶ２，・・・ＭＶ（Ｌ））を前記コンセントレータへと送信する動作（プロファイルロード手順）の実行に対応しているか否かを判定することを特徴とする、請求項１乃至８の何れか１項に記載の方法。
【請求項１０】
複数の顧客（Ｈ１，Ｈ２，・・・，Ｈｎ）へと、公衆分配ネットワーク（ＨＶ，ＭＶ，ＬＶ）を介して分配されるユーティリティの消費量を遠隔計量するシステムであって、
プログラムメモリ（ＰＭ）と、前記プログラムメモリ（ＰＭ）に格納されたプログラムを実行するコントローラ（ＭＣＭ）と、前記ユーティリティの前記消費量に関連し、前記ユーティリティの前記消費量を少なくとも示すデータ要素を格納するデータ要素メモリ（ＣＢ）と、をそれぞれが備える、ユーティリティの消費量を測定する複数の遠隔メータ（ＲＭ）と、
消費量に関連するデータを収集し、かつ関連付けられた遠隔メータの管理に関する仕事を行うために、前記複数の遠隔メータ（ＲＭ）と通信するコンセントレータ（Ｃ）と、を備え、
前記システムの前記遠隔メータ（ＲＭ）は、前記コンセントレータからの要求に応じて、消費量に関連する一定量（Ｌ）のデータ（ＭＶ１，ＭＶ２，・・・ＭＶ（Ｌ））を前記コンセントレータへと送信する動作を行うように構成され、
前記コンセントレータ（Ｃ）は、消費量に関連する前記量（Ｌ）のデータを要求し、かつ前記量（Ｌ）を前記遠隔メータのステータスデータ（ＴＶ，ＩＤ，ＮＶ）に基づいて決定するように構成されている
ことを特徴とするシステム。
【請求項１１】
前記コンセントレータ（Ｃ）は、
前記遠隔メータ（ＲＭ）のうちの選択された１つからステータスデータ（ＴＶ，ＩＤ，ＮＶ）を受信し、
要求されかつ前記選択された遠隔メータ（ＲＭ）から受信される、消費量に関連するデータの量（Ｌ）を、前記ステータスデータ（ＴＶ，ＩＤ，ＮＶ）に基づいて計算し、
前記選択された遠隔メータ（ＲＭ）からの前記量（Ｌ）の消費量に関連するデータを要求する動作を行うように構成され、
前記システムの前記遠隔メータ（ＲＭ）は、
前記ステータスデータ（ＴＶ，ＩＤ，ＮＶ）を前記コンセントレータ（Ｃ）へと送信する動作を行い、
前記量（Ｌ）の消費量に関連するデータを前記コンセントレータ（Ｃ）へと送信する動作を行うように構成されている
ことを特徴とする、請求項１０に記載のシステム。
【請求項１２】
前記コンセントレータ（Ｃ）は、集中管理装置（ＡＭＭ）から前記コンセントレータ（Ｃ）に以前に格納されたパラメータ（特に時間間隔）にも基づいて、消費量に関連するデータの前記量（Ｌ）を決定する動作を行うように構成されていることを特徴とする、請求項１０又は１１に記載のシステム。
【請求項１３】
前記ステータスデータは、最後に測定された消費量に関連するデータの日付及び時刻を示す時刻値（ＴＶ）と、最後に測定された消費量に関連するデータが前記遠隔メータ（ＲＭ）において格納されている格納位置（Ｎｘ）を示すインジケータ（ＩＤ）と、前記遠隔メータ（ＲＭ）において格納されている消費量に関連するデータの数を示す数値（ＮＭ）と、のうちの１つ以上を含むことを特徴とする、請求項１０乃至１２の何れか１項に記載のシステム。
【請求項１４】
前記コンセントレータ（Ｃ）は、開始時刻と終了時刻とを前記遠隔メータ（ＲＭ）に送信し、前記開始時刻から前記終了時刻までの消費量に関連するデータの送信を要求する動作を行うように構成されていることを特徴とする、請求項１０乃至１３の何れか１項に記載のシステム。
【請求項１５】
前記コンセントレータ（Ｃ）は、前記遠隔メータ（ＲＭ）へと格納位置の数Ｌを送信し、前記遠隔メータ（ＲＭ）においてＬ個の格納位置のそれぞれに格納されている消費量に関連するデータの送信を要求する動作を行うように構成されていることを特徴とする、請求項１０乃至１３の何れか１項に記載のシステム。
【請求項１６】
前記コンセントレータ（Ｃ）は、前記遠隔メータ（ＲＭ）へと格納位置を示す値を送信し、当該値によって示される前記格納位置に格納されている消費量に関連するデータの送信を要求する動作を行うように構成されていることを特徴とする、請求項１０乃至１３の何れか１項に記載のシステム。
【請求項１７】
前記コンセントレータ（Ｃ）は、前記ステータスデータに基づいて、前記遠隔メータ（ＲＭ）に消費量に関連する十分なデータが格納されているか否かを判定する動作を行うように構成されていることを特徴とする、請求項１０乃至１６の何れか１項に記載のシステム。
【請求項１８】
前記コンセントレータ（Ｃ）は、遠隔メータ（ＲＭ）が、当該遠隔メータのステータスデータ（ＴＶ，ＩＤ，ＮＶ）に基づいて決定される、消費量に関連するデータの量（Ｌ）を示す前記コンセントレータからの要求に応じて、消費量に関連する前記量（Ｌ）のデータ（ＭＶ１，ＭＶ２，・・・ＭＶ（Ｌ））を前記コンセントレータへと送信する動作（プロファイルロード手順）の実行に対応しているか否かを判定する動作を行うように構成されていることを特徴とする、請求項１０乃至１７の何れか１項に記載のシステム。
【請求項１９】
複数の遠隔メータ（ＲＭ）からユーティリティの消費量に関連するデータを収集するコンセントレータであって、
前記遠隔メータ（ＲＭ）のそれぞれは、
プログラムメモリ（ＰＭ）と、
前記プログラムメモリ（ＰＭ）に格納されたプログラムを実行するコントローラ（ＭＣＭ）と、
前記ユーティリティの前記消費量に関連し、前記ユーティリティの前記消費量を少なくとも示すデータ要素を格納するデータ要素メモリ（ＣＢ）と、を備え、
前記コンセントレータ（Ｃ）は、
前記複数の遠隔メータ（ＲＭ）と通信するための通信インタフェース（ＣＩＣ）と、
前記通信インタフェース（ＣＩＣ）を介して前記遠隔メータ（ＲＭ）から受信されたデータを処理するコントローラ（ＭＣＣ）と、を備え、
前記コンセントレータ（Ｃ）は、
前記遠隔メータ（ＲＭ）のうちの選択された１つからのステータスデータ（ＴＶ，ＩＤ，ＮＶ）を要求し、
前記ステータスデータ（ＴＶ，ＩＤ，ＮＶ）に基づいて、要求されかつ前記選択された遠隔メータ（ＲＭ）から受信される、消費量に関連するデータの量（Ｌ）を計算し、
前記選択された遠隔メータ（ＲＭ）からの消費量に関連する前記量（Ｌ）のデータを受信する動作を行うように構成されている
ことを特徴とするコンセントレータ。
【請求項２０】
集中管理装置（ＡＭＭ）から前記コンセントレータ（Ｃ）に以前に格納されたパラメータ（特に時間間隔）にも基づいて、消費量に関連するデータの前記量（Ｌ）を決定する動作を行うようにさらに構成されていることを特徴とする、請求項１９に記載のコンセントレータ。
【請求項２１】
前記ステータスデータは、最後に測定された消費量に関連するデータの日付及び時刻を示す時刻値（ＴＶ）と、最後に測定された消費量に関連するデータが前記遠隔メータにおいて格納されている格納位置（Ｎｘ）を示すインジケータ（ＩＤ）と、前記遠隔メータにおいて格納されている消費量に関連するデータの数を示す数値（ＮＭ）と、のうちの１つ以上を含むことを特徴とする、請求項１９又は２０に記載のコンセントレータ。
【請求項２２】
開始時刻と終了時刻とを前記遠隔メータ（ＲＭ）に送信し、前記開始時刻から前記終了時刻までの消費量に関連するデータの送信を要求する動作を行うようにさらに構成されていることを特徴とする、請求項１９乃至２１の何れか１項に記載のコンセントレータ。
【請求項２３】
前記遠隔メータ（ＲＭ）へと格納位置の数Ｌを送信し、前記遠隔メータ（ＲＭ）においてＬ個の格納位置のそれぞれに格納されている消費量に関連するデータの送信を要求する動作を行うようにさらに構成されていることを特徴とする、請求項１９乃至２１の何れか１項に記載のコンセントレータ。
【請求項２４】
前記遠隔メータ（ＲＭ）へと格納位置を示す値を送信し、当該値によって示される格納位置に格納されている消費量に関連するデータの送信を要求する動作を行うようにさらに構成されていることを特徴とする、請求項１９乃至２１の何れか１項に記載のコンセントレータ。
【請求項２５】
前記ステータスデータに基づいて、前記遠隔メータ（ＲＭ）に消費量に関連する十分なデータが格納されているか否かを判定する動作を行うようにさらに構成されていることを特徴とする、請求項１９乃至２４の何れか１項に記載のコンセントレータ。
【請求項２６】
遠隔メータ（ＲＭ）が、当該遠隔メータのステータスデータ（ＴＶ，ＩＤ，ＮＶ）に基づいて決定される、消費量に関連するデータの量（Ｌ）を示す前記コンセントレータからの要求に応じて、消費量に関連する前記量（Ｌ）のデータ（ＭＶ１，ＭＶ２，・・・ＭＶ（Ｌ））を前記コンセントレータへと送信する動作（プロファイルロード手順）の実行に対応しているか否かを判定する動作を行うようにさらに構成されていることを特徴とする、請求項１９乃至２４の何れか１項に記載のコンセントレータ。
【請求項２７】
ユーティリティの消費量を計量する遠隔メータであって、
測定されたユーティリティの消費量に関連するデータをコンセントレータ（Ｃ）へと送信するための通信インタフェース（ＣＩＭ）と、
データ要素であって、当該データ要素のそれぞれ１つが格納される時に測定された前記ユーティリティの前記消費量に関連し、前記ユーティリティの前記消費量を少なくとも示す前記データ要素を格納する複数の格納位置（Ｎｘ，Ｎｘ＋１）を備える、消費量に関連するデータ要素格納手段（ＣＢ）と、
消費量に関連する最も新しいデータ要素の前記格納の日付／時刻に対応する時刻値（ＴＶ）を格納する時刻値格納手段（ＴＶＳＭ）と、
コントローラ（ＭＣＭ）であって、
前記測定されたユーティリティの消費量に対応するデータ要素が、循環格納手段（ＣＳＭ）の格納位置に後続するそれぞれの格納位置に格納され、前記時刻値格納手段（ＴＶＳＭ）に格納された時刻値（ＴＶ）が、最も新しいデータ要素の格納の前記日付／時刻に対応するように更新されるような、格納された時間パラメータ（Ｔ）によって示される定期的なユーティリティの前記消費量の測定、及び、
前記コンセントレータ（Ｃ）からのそれぞれの要求に応じて、前記時刻値（ＴＶ）が前記コンセントレータ（Ｃ）へと送信され、前記コンセントレータ（Ｃ）によって決定されている数の、前記格納位置に格納されているデータ要素が、前記コンセントレータ（Ｃ）へと送信されるような、前記測定されたユーティリティの消費量に関連するデータの前記通信インタフェース（ＣＩＭ）を介した前記コンセントレータ（Ｃ）への送信、に関する遠隔メータ（ＲＭ）の動作
を制御するように構成されたコントローラ（ＭＣＭ）と、
を備えることを特徴とする遠隔メータ。
【請求項２８】
前記複数の格納位置のうち前記最も新しいデータ要素が格納されている前記格納位置を特定する識別子（ＩＤ）を格納する識別子格納手段（ＩＤＳＭ）をさらに備え、
前記コントローラ（ＭＣＭ）は、
前記最も新しいデータ要素を含む格納位置として、前記格納位置のうちの前記後続する格納位置を特定するように、前記識別子格納手段（ＩＤＳＭ）に格納された前記識別子（ＩＤ）が定期的に更新されるような、前記ユーティリティの前記消費量の測定と、
前記コンセントレータ（Ｃ）からのそれぞれの要求に応じて、前記識別子（ＩＤ）が前記コンセントレータ（Ｃ）へと送信されるような、前記通信インタフェース（ＣＩＭ）を介した、前記コンセントレータ（Ｃ）への前記測定されたユーティリティの消費量に関連するデータの送信と、
に関する前記遠隔メータ（ＲＭ）の動作を制御するようにさらに構成されている
ことを特徴とする、請求項２７に記載の遠隔メータ。
【請求項２９】
前記消費量に関連するデータ要素格納手段（ＣＢ）が循環バッファであることを特徴とする、請求項２８に記載の遠隔メータ。
【請求項３０】
前記コンセントレータ（Ｃ）から受信された開始時刻から終了時刻までの、消費量に関連するデータを送信する動作を行うようにさらに構成されていることを特徴とする、請求項２７乃至２９の何れか１項に記載の遠隔メータ。
【請求項３１】
前記遠隔メータは、当該遠隔メータ（ＲＭ）においてＬ個の格納位置に格納されている、消費量に関連するデータを送信する動作を行うようにさらに構成されており、
前記格納位置の数Ｌは、前記コンセントレータ（Ｃ）から受信されることを特徴とする、請求項２７乃至２９の何れか１項に記載の遠隔メータ。
【請求項３２】
前記コンセントレータ（Ｃ）から受信された値によって示される格納位置に格納されている消費量に関連するデータを送信する動作を行うようにさらに構成されていることを特徴とする、請求項２７乃至２９の何れか１項に記載の遠隔メータ。